(57)【要約】【課題】発信側の電波状況が劣悪な環境下において、通信相手に対する情報伝達の効率を向上させる。【解決手段】移動体通信端末(１０)を構成する無線通信部(１１０)は、基地局との無線通信を行う。無線通信部(１１０)を制御する制御部(１２０)は、自端末(１０)のユーザから入力されたデータ系列(２０１)を蓄積し、前記蓄積と並行して、前記無線通信の状態を監視する。前記監視の結果、前記無線通信が断続的に途絶していると判定した場合、制御部(１２０)は、無線通信部(１１０)に前記蓄積したデータ系列(２０２)を順次送信させる。【選択図】図２
2012175451.tif 000002
【特許請求の範囲】
【請求項１】
基地局との無線通信を行う通信手段と、
前記通信手段を制御する制御手段と、を備え、
前記制御手段は、
自端末のユーザから入力されたデータ系列を蓄積し、
前記蓄積と並行して、前記無線通信の状態を監視し、
前記監視の結果、前記無線通信が断続的に途絶していると判定した場合、前記通信手段に前記蓄積したデータ系列を順次送信させる、
移動体通信端末。
【請求項２】
請求項１において、
前記制御手段は、前記無線通信が断続的に途絶していると判定した時点から、前記蓄積を開始する、
ことを特徴とした移動体通信端末。
【請求項３】
請求項１又は２において、
前記制御手段は、
自端末に生じる加速度を検出し、
前記加速度が予め定めた閾値以上である場合、前記監視の結果に関わらず、前記無線通信が断続的に途絶していると判定する、
ことを特徴とした移動体通信端末。
【請求項４】
請求項１〜３のいずれか一項において、
前記制御手段は、前記監視の結果、前記無線通信が一定時間に亘って継続するよう変化したと判定した場合、前記通信手段に、前記蓄積したデータ系列に代えて、前記入力されたデータ系列を直接送信させる、
ことを特徴とした移動体通信端末。
【請求項５】
請求項１〜４のいずれか一項において、
前記制御手段は、
前記通信手段により前記基地局を介して通信相手から受信された、受信データ系列を蓄積し、
前記無線通信が断続的に途絶していると判定した場合、前記蓄積した受信データ系列を順次再生する、
ことを特徴とした移動体通信端末。
【請求項６】
請求項５において、
前記制御手段は、
前記受信データ系列の蓄積量を監視し、
前記蓄積量が予め定めた量を超過した場合に、前記再生を行う、
ことを特徴とした移動体通信端末。
【請求項７】
請求項１〜６のいずれか一項において、
前記データ系列は、複数の音声データ又は動画データから成る、
ことを特徴とした移動体通信端末。
【請求項８】
基地局との無線通信を行う移動体通信端末の制御方法であって、
前記移動体通信端末のユーザから入力されたデータ系列を蓄積し、
前記蓄積と並行して、前記無線通信の状態を監視し、
前記監視の結果、前記無線通信が断続的に途絶していると判定した場合、前記蓄積したデータ系列を順次送信する、
ことを含む制御方法。
【請求項９】
請求項８において、
前記基地局を介して通信相手から受信した、受信データ系列を蓄積し、
前記無線通信が断続的に途絶していると判定した場合、前記蓄積した受信データ系列を順次再生する、
ことを含む制御方法。
【請求項１０】
基地局との無線通信を行う移動体通信端末に、
前記移動体通信端末のユーザから入力されたデータ系列を蓄積する処理と、
前記蓄積と並行して、前記無線通信の状態を監視する処理と、
前記監視の結果、前記無線通信が断続的に途絶していると判定した場合、前記蓄積したデータ系列を順次送信する処理と、
を実行させるための制御プログラム。
【発明の詳細な説明】
【技術分野】
【０００１】
本発明は、移動体通信端末、並びにその制御方法及びプログラムに関し、特に電波状況が劣悪な環境下に好適な無線通信技術に関する。
【背景技術】
【０００２】
日本国内における移動体通信端末の普及が進み、その普及率は加入者数ベースで人口の９０％を超えている。このように、移動体通信端末は、今や固定電話と同等かそれ以上にビジネスや日常生活等において欠かせない存在となっている。
【０００３】
移動体通信端末の加入者数が増加するのに伴い、インフラとしての基地局の整備も進められている。現在主流である第三世代移動体通信システムにおいては、通信サービスを提供する各キャリアともに略１００％の人口カバー率を達成している。
【０００４】
しかしながら、移動体通信端末を使用する環境は様々であり、必ずしも電波状況が良好な場所で使用されるとは限らない。これは、都心部では電波を遮蔽するビルや家屋等の建築物に囲まれていることが多い一方、山間部では住宅地等の日常生活圏から離れ十分な電波が届かなくなるためである。
【０００５】
ユーザがこのような電波状況が劣悪な環境下にいる場合、或いは同環境下を移動している場合には、移動体通信端末と基地局の間の無線通信が途絶し得る。この場合、ユーザにとっては、通信相手との円滑なコミュニケーションを図ることが困難であるという問題がある。
【０００６】
この問題に対処するための関連技術が、特許文献１〜７に記載されている。
【０００７】
特許文献１には、相手側電話機から無線回線を介して受信した音声データを、その電界強度が所定の閾値以下である間に記録し、記録した音声データを、無線回線を介して相手側電話機へ送信する無線電話機が記載されている。
【０００８】
また、特許文献２には、相手側携帯電話機が着信不可能な場合に、発信側携帯電話機から受信した音声データ又は映像データをファイルに変換し、ファイルを添付したメールを相手側携帯電話機へ送信するサーバが記載されている。
【０００９】
これに類似する技術として、特許文献３には、発信側通信端末から受信した音声データをファイルに変換し、ファイルを添付したメールを相手側通信端末へ送信するサーバが記載されている。また、特許文献４には、相手側移動局が着信不可能な場合に、発信側移動局から受信した音声データを記憶し、相手側移動局に対して音声データの取得を促すネットワークが記載されている。
【００１０】
また、特許文献５には、基地局から無線電話機との無線接続が切断されたことを検知すると、相手側電話機に対して通話が中断している旨の音声ガイダンスを送信し、その応答として音声データ又はコールバック情報を受信し、基地局と無線電話機とが再び無線接続されたことを検知すると、音声データ又はコールバック情報を基地局経由で無線電話機へ転送する装置が記載されている。
【００１１】
これに類似する技術として、特許文献６には、親機が、子機との無線接続の切断を検出すると、外部回線を介して相手側電話機に対し音声データの送信を促すコードレス電話機が記載されている。
【００１２】
さらに、特許文献７には、ユーザから入力された音声データを添付したメールを、ユーザが指定するアドレス宛てに送信する移動体通信端末が記載されている。
【先行技術文献】
【特許文献】
【００１３】
【特許文献１】特開２０１０−１３００５８号公報
【特許文献２】特開２００８−０７２３３３号公報
【特許文献３】特開２００７−００６３０１号公報
【特許文献４】特開２００６−０２０３２６号公報
【特許文献５】特開２００９−１６４６７１号公報
【特許文献６】特開平１１−１５５０１７号公報
【特許文献７】特開２０００−１７４９３１号公報
【発明の概要】
【発明が解決しようとする課題】
【００１４】
しかしながら、上記の特許文献１〜７には、発信側の電波状況が劣悪な環境下において、通信相手に対する情報伝達の効率が低下してしまうという課題があった。発信側の無線通信が、例えば発話中や留守番電話システムに音声メッセージを登録している最中に途絶した場合、通信相手に用件を十分伝えられない。
【００１５】
具体的には、上記の特許文献１及び６では、発信側自身の情報を通信相手に伝達するための対策が何ら講じられていない。
【００１６】
また、上記の特許文献２〜４では、発信側の電波状況が劣悪であれば、情報伝達に失敗するか又は遅延が発生してしまう。
【００１７】
また、上記の特許文献５では、発信側自身の情報を通信相手に伝達するに際してコールバックが必要であり、結果として情報伝達が大幅に遅延する。
【００１８】
さらに、上記の特許文献７では、発信側の電波状況が劣悪であれば、音声データを添付したメールの送信に成功する可能性は低く、結果として情報伝達が大幅に遅延する。そもそも、電波状況が劣悪な環境下においては、メールを用いた情報伝達は得策では無い。受信側では、メールを構成する全てのパケットが揃わなければ参照できない。音声データや動画データ等を添付したメールは、テキストベースのメールと比してデータサイズ(パケット数)が非常に大きくなる。電波状況が劣悪な環境下では全てのパケットを一度に送信できる可能性は低い。一部のパケットの送信に成功しても、残り全てのパケットを所定時間内に送信できなければ、受信側では、メール送信に失敗したと見做して、送信に成功したパケットを破棄する虞がある。
【００１９】
従って、本発明は、発信側の電波状況が劣悪な環境下において、通信相手に対する情報伝達の効率を向上させることを目的とする。
【課題を解決するための手段】
【００２０】
上記の目的を達成するため、本発明の第１の態様に係る移動体通信端末は、基地局との無線通信を行う通信手段と、前記通信手段を制御する制御手段とを備える。前記制御手段は、自端末のユーザから入力されたデータ系列を蓄積し、前記蓄積と並行して、前記無線通信の状態を監視し、前記監視の結果、前記無線通信が断続的に途絶していると判定した場合、前記通信手段に前記蓄積したデータ系列を順次送信させる。
【００２１】
また、本発明の第２の態様に係る制御方法は、基地局との無線通信を行う移動体通信端末の制御方法を提供する。この制御方法は、前記移動体通信端末のユーザから入力されたデータ系列を蓄積し、前記蓄積と並行して、前記無線通信の状態を監視し、
前記監視の結果、前記無線通信が断続的に途絶していると判定した場合、前記蓄積したデータ系列を順次送信することを含む。
【００２２】
さらに、本発明の第３の態様に係る制御プログラムは、基地局との無線通信を行う移動体通信端末に、前記移動体通信端末のユーザから入力されたデータ系列を蓄積する処理と、前記蓄積と並行して、前記無線通信の状態を監視する処理と、前記監視の結果、前記無線通信が断続的に途絶していると判定した場合、前記蓄積したデータ系列を順次送信する処理とを実行させる。
【発明の効果】
【００２３】
本発明によれば、発信側の電波状況が劣悪な環境下において、通信相手に対する情報伝達の効率を向上させることが可能である。
【図面の簡単な説明】
【００２４】
【図１】本発明の実施の形態１に係る移動体通信端末を適用する移動体通信システムの構成例を示したブロック図である。
【図２】本発明の実施の形態１に係る移動体通信端末の構成例を示したブロック図である。
【図３】本発明の実施の形態１に係る移動体通信端末における無線通信状態の監視動作例を示した図である。
【図４】本発明の実施の形態１に係る移動体通信端末における送信動作例を示したフローチャート図である。
【図５】本発明の実施の形態２に係る移動体通信端末の構成例を示したブロック図である。
【図６】本発明の実施の形態２に係る移動体通信端末における受信動作例を示したフローチャート図である。
【発明を実施するための形態】
【００２５】
以下、本発明に係る移動体通信端末の実施の形態１及び２を、図１〜図６を参照して説明する。なお、各図面において、同一要素には同一の符号が付されており、説明の明確化のため、必要に応じて重複説明は省略される。
【００２６】
[実施の形態１]
図１は、本実施の形態に係る移動体通信端末を適用する移動体通信システムの構成例を示している。この移動体通信システムは、移動体通信端末１０＿１及び１０＿２(以下、符号１０で総称することがある)と、基地局２０＿１及び２０＿２(以下、符号２０で総称することがある)と、これらの基地局２０＿１及び２０＿２を接続するコアネットワーク３０とを含む。移動体通信端末１０＿１(又は１０＿２)は、基地局２０＿１(又は２０＿２)へ無線接続し、以て移動体通信端末１０＿２(又は１０＿１)と所望の通信を行う。なお、基地局２０及びコアネットワーク３０の構成及び動作については当業者によく知られているため、その詳細な説明を省略する。また、移動体通信端末１０の通信相手は、固定電話機であっても良い。この場合も、以降の説明は同様に適用される。
【００２７】
図２に示すように、移動体通信端末１０は、無線通信部１１０と、これを制御する制御部１２０とを含む。また、移動体通信端末１０は、一般的な移動体通信端末と同様、マイク１３０と、送信用音声コーデック１４０と、受信用音声コーデック１５０と、スピーカ１６０とを含む。送信用コーデック１４０は、マイク１３０から入力されたユーザ音声をエンコードし、これにより得た音声データ系列２０１(以下、入力音声データ系列と呼称する)を制御部１２０へ出力する。受信用コーデック１５０は、無線通信部１１０により基地局２０を介して通信相手から受信された音声データ系列(以下、受信音声データ系列と呼称する)をデコードし、これにより得た音声をスピーカ１６０に鳴動させる。
【００２８】
また、無線通信部１１０は、アンテナ１１１と、共用器１１２と、送信部１１３と、受信部１１４とを含む。この内、送信部１１３は、共用器１１２を介してアンテナ１１１へ接続される。送信部１１３は、制御部１２０から出力される音声データ系列に対してベースバンド処理並びにＤ／Ａ変換、周波数変換、増幅等を含む処理を施し、これにより得た無線信号をアンテナ１１１を介して送出する。また、受信部１１４は、共用器１１２を介してアンテナ１１１へ接続される。受信部１１４は、アンテナを介して受信した無線信号に対して増幅、周波数変換、Ａ／Ｄ変換等を含む処理並びにベースバンド処理を施し、これにより得た受信音声データ系列を受信用音声コーデック１５０へ出力する。
【００２９】
さらに、制御部１２０は、送信データ転送部１２１と、通信状態監視部１２２と、通信制御部１２３とを含む。
【００３０】
この内、送信データ転送部１２１は、蓄積部１２４と、選択部１２５とを含む。蓄積部１２４は、例えばバッファであり、入力音声データ系列２０１を蓄積する。一方、選択部１２５は、通信制御部１２３からのセレクト信号に従って、入力音声データ系列２０１、又は蓄積部１２４で蓄積された音声データ系列２０２(以下、蓄積音声データ系列と呼称する)の一方を送信部１１３へ転送する。
【００３１】
また、通信状態監視部１２２は、基地局２０との無線通信の状態(以下、通信状態と略称する)を監視し、その監視結果を通信制御部１２３へ出力する。通信状態監視部１２２は、例えば制御チャネルのＲＳＳＩ(Ｒｅｃｅｉｖｅｄ Ｓｉｇｎａｌ Ｓｔｒｅｎｇｔｈ Ｉｎｄｉｃａｔｏｒ)を用いて、通信状態を監視する。具体的には、通信状態監視部１２２は、ＲＳＳＩが所定の閾値以下であれば、自端末１０が基地局２０による通信サービスの圏外に位置すると判断し、そうでなければ、自端末１０が通信サービスの圏内に位置すると判断する。
【００３２】
さらに、通信制御部１２３は、通信状態監視部１２２での監視結果を用いて、後述する如く通信状態をより詳細に監視し、その結果に応じてセレクト信号を発生する。
【００３３】
以下、本実施の形態の動作を説明するが、まず、通信制御部１２３における通信状態の監視動作例を、図３を参照して詳細に説明する。そして、送信データ転送部１２１及び通信制御部１２３の協調動作による音声データ系列の送信動作例を、図４を参照して詳細に説明する。
【００３４】
[通信状態の監視動作例]
図３に示すように、通信制御部１２３は、４つの通信状態１００１〜１００４を管理する。ここで、通信切断状態１００１は、通信開始前の初期状態、より詳細には自端末１０と基地局２０の間で音声チャネルが確立されていない状態を示す。ここで、音声チャネルは、回線交換方式に則して確立される。すなわち、移動体通信端末１０は、原則、通信開始から終了まで音声チャネルを占有することができる。また、安定状態１００２は、自端末１０が圏内に位置し、継続的に無線通信を行える状態を示す。また、不安定状態１００３は、自端末１０が圏外に位置する場合を含め、無線通信を一定時間以上行えない状態を示す。さらに、一時的不安定状態１００４は、無線通信が時折途絶し、継続的には無線通信を行えない状態を示す。
【００３５】
通信切断状態１００１において、通信制御部１２３は、通信開始時点で音声チャネルが確立されると、通信状態を安定状態１００２へ遷移させ、そうでなければ、不安定状態１００３へ遷移させる。
【００３６】
安定状態１００２において、自端末１０が圏内に位置し、引き続き無線通信を継続できる場合、通信制御部１２３は、通信状態を安定状態１００２に留まらせる。一方、自端末１０が圏外に位置し、無線通信が途絶すると、通信制御部１２３は、通信状態を一時的不安定状態１００４に遷移させる。
【００３７】
不安定状態１００３において、自端末１０が圏外に位置し、引き続き無線通信が不可能である場合、通信制御部１２３は、通信状態を不安定状態１００３に留まらせる。一方、自端末１０が圏内に位置し、無線通信が可能になると、通信制御部１２３は、通信状態を一時的不安定状態１００４に遷移させる。
【００３８】
一時的不安定状態１００４において、自端末１０が所定の閾値時間Ｔ０以上に亘って圏外に位置し、引き続き無線通信が不可能である場合、通信制御部１２３は、通信状態を不安定状態１００３へ遷移させる。また、自端末１０が所定の閾値時間Ｔ１以上に亘って圏内に位置し、継続的に無線通信を行える場合、通信制御部１２３は、通信状態を安定状態１００２へ遷移させる。これらの遷移条件のいずれにも当てはならない場合、通信制御部１２３は、通信状態を一時的不安定状態１００４に留まらせる。
【００３９】
[音声データ系列の送信動作例]
図４に示すように、通信制御部１２３は、通信が開始されると、通信状態を安定状態１００２へ遷移させると共に、入力音声データ系列２０１の選択を指示するセレクト信号を発生する。このセレクト信号を受けた送信データ転送部１２１内の選択部１２５は、入力音声データ系列２０１を、無線通信部１１０内の送信部１１３へ出力する。これにより、マイク１３０からの入力音声データ系列２０１が、基地局２０へ直接送信される(ステップＳ１)。
【００４０】
この時、通信が終了されれば(ステップＳ２)、移動体通信端末１０は、送信動作を終了する。
【００４１】
通信が継続される場合、通信制御部１２３は、通信状態の監視動作を継続する(ステップＳ３)。この結果、通信状態が安定状態１００２に留まる場合、上記のステップＳ１が継続して実行される。
【００４２】
一方、通信状態が一時的不安定状態１００４へ遷移した場合、通信制御部１２３は、蓄積部１２４に、入力音声データ系列２０１の蓄積を開始させる(ステップＳ４)。そして、通信制御部１２３は、蓄積音声データ系列２０２の選択を指示するセレクト信号を発生する。このセレクト信号を受けた選択部１２５は、蓄積音声データ系列２０２を送信部１１３へ出力する。これにより、蓄積音声データ系列２０２が、送信可能な分だけ(換言すると、送信可能な速度で)、基地局２０へ順次送信される(ステップＳ５)。
【００４３】
この時、通信が終了されれば(ステップＳ６)、移動体通信端末１０は、送信動作を終了する。
【００４４】
通信が継続される場合、通信制御部１２３は、通信状態の監視動作を継続する(ステップＳ７)。この結果、通信状態が安定状態１００２へ遷移した場合、上記のステップＳ１が実行され、以てマイク１３０からの入力音声データ系列２０１が基地局２０へ直接送信されるよう、選択部１２５の出力が切り替えられる。
【００４５】
一方、通信状態が一時的不安定状態１００４に留まる場合、上記のステップＳ５が継続して実行される。
【００４６】
このように、本実施の形態においては、無線通信が断続的に途絶する場合であっても、音声データ系列を、その終端を意識する必要の無いストリーミングデータとして通信可能な期間内に送信できる。このため、受信側では、音声データ系列の再生を開始できる。従って、発信側の電波状況が劣悪な環境下において、通信相手に対する情報伝達の遅延を低減でき(換言すると、通信状態に応じた情報伝達能力を維持することができ)、以て上記の特許文献１〜７等と比して、情報伝達の効率を大幅に向上させることができる。
【００４７】
また、本実施の形態においては、音声データ系列の蓄積を、無線通信の断続的な途絶を検知したことをトリガとして開始するようにしている。このため、常時蓄積を行う場合と比して、蓄積に必要なリソース量や消費電力を低減できるというメリットもある。
【００４８】
また、本実施の形態においては、一時的不安定状態から安定状態への遷移を、圏内検知に合わせて直ちに行うのではなく、圏内検知から一定時間が経過した後に行う手順を採用している。これにより、蓄積音声データ系列の送信は、受信側のユーザに聞き取らせることが可能な必要最低限のデータ量となる迄、継続される。従って、通信相手に対する情報伝達の効率化を図りつつ、且つ伝達した蓄積音声データ系列の量が小さ過ぎて受信側で理解不能となることも防止できる。
【００４９】
さらに、本実施の形態においては、通信状態の監視に際して加速度センサを用いても良い。移動体通信端末１０のユーザがエレベータや電車等に搭乗している場合には、通信状態がしばらく安定しないことが予想される。このため、通信制御部１２３は、加速度センサにより所定の閾値以上の加速度が検出されると、通信状態監視部１２２での監視結果(圏内及び圏内の検知)に関わらず、通信状態を一時的不安定状態１００４へ一旦遷移させる。これにより、エレベータや電車等への搭乗に因り無線通信が断続的に途絶する場合であっても、通信相手に対する情報伝達を行うことができる。
【００５０】
[実施の形態２]
図５に示すように、本実施の形態に係る移動体通信端末１０ａは、制御部１２０が、図２に示した構成に加えて、受信データ転送部１２６を含む点で上記の実施の形態１と異なる。
【００５１】
ここで、受信データ転送部１２６は、蓄積部１２７と、選択部１２８とを含む。蓄積部１２７は、例えばバッファであり、受信音声データ系列３０１を蓄積する。一方、選択部１２８は、通信制御部１２３からのセレクト信号に従って、受信音声データ系列３０１、又は蓄積部１２７で蓄積された受信音声データ系列３０２(以下、蓄積受信音声データ系列と呼称する)の一方を受信用音声コーデック１５０へ転送する。
【００５２】
以下、本実施の形態に特有の動作として、通信制御部１２３及び受信データ転送部１２６の協調動作による音声データ系列の受信動作例を、図６を参照して詳細に説明する。なお、通信状態の監視動作及び音声データ系列の送信動作については上記の実施の形態１と同様であるため、その説明を省略する。
【００５３】
[音声データ系列の受信動作例]
図６に示すように、通信制御部１２３は、通信が開始されると、受信音声データ系列３０１の選択を指示するセレクト信号を発生する。このセレクト信号を受けた受信データ転送部１２６内の選択部１２８は、受信音声データ系列３０１を受信用音声コーデック１５０へ出力する。これにより、通信相手からの受信音声データ系列３０１が再生される(ステップＳ１１)。
【００５４】
この時、通信が終了されれば(ステップＳ１２)、移動体通信端末１０ａは、受信動作を終了する。
【００５５】
通信が継続される場合、通信制御部１２３は、通信状態の監視動作を継続する(ステップＳ１３)。この結果、通信状態が安定状態１００２に留まる場合、上記のステップＳ１１が継続して実行される。
【００５６】
一方、通信状態が一時的不安定状態１００４へ遷移した場合、通信制御部１２３は、蓄積部１２７に、受信音声データ系列３０１の蓄積を開始させる(ステップＳ１４)。そして、通信制御部１２３は、蓄積受信音声データ系列３０２の選択を指示するセレクト信号を発生する。このセレクト信号を受けた選択部１２８は、蓄積受信音声データ系列３０２を受信用音声コーデック１５０へ出力する。これにより、蓄積受信音声データ系列３０２が順次再生される(ステップＳ１５)。
【００５７】
この時、通信が終了されれば(ステップＳ６)、移動体通信端末１０ａは、受信動作を終了する。
【００５８】
通信が継続される場合、通信制御部１２３は、通信状態の監視動作を継続する(ステップＳ１７)。この結果、通信状態が安定状態１００２へ遷移した場合、上記のステップＳ１１が実行され、以て通信相手からの受信音声データ系列３０１が再生されるよう、選択部１２８の出力が切り替えられる。
【００５９】
一方、通信状態が一時的不安定状態１００４に留まる場合、上記のステップＳ１５が継続して実行される。
【００６０】
このように、本実施の形態においては、上述した実施の形態１の効果に加えて、無線通信が断続的に途絶する場合であっても、音声データ系列を通信可能な期間内に受信し、再生できるという効果が得られる。このため、情報伝達の効率を、上記の実施の形態１と比して更に向上させることができる。
【００６１】
また、本実施の形態においては、図５に点線で示す如く、通信制御部１２３が、蓄積部１２７における蓄積受信音声データ系列３０２の蓄積量を監視するようにしても良い。一時的不安定状態１００４において蓄積量が所定量を超過すると、通信制御部１２３は、蓄積受信音声データ系列３０２の選択を指示するセレクト信号を選択部１２８へ出力し、以て蓄積受信音声データ系列３０２の再生を許可する。換言すると、通信制御部１２３は、移動体通信端末１０ａのユーザに聞き取らせることが可能な必要最低限のデータ量となる迄、蓄積受信音声データ系列３０２の再生を待機する。これにより、蓄積受信音声データ系列３０２の量が小さ過ぎてユーザが理解不能となることを防止できる。
【００６２】
なお、上記の実施の形態によって本発明は限定されるものではなく、特許請求の範囲の記載に基づき、当業者によって種々の変更が可能なことは明らかである。
【００６３】
例えば、音声データ系列に限らず、動画データ系列を送受信の対象として扱うこともできる。この場合、図２及び図５の各々に示した構成に加えて、動画を撮影するためのカメラ、動画データを表示するためのディスプレイ、動画データに対するエンコード及びデコードを実施するためのコーデック等を設ければ良い。これにより、テレビ電話通信等に際して、情報伝達の効率を向上させることができる。
【００６４】
また、上記の実施の形態に示した移動体通信端末の各処理を、コンピュータに実行させるためのプログラムとして提供することもできる。この場合、プログラムは、様々なタイプの非一時的なコンピュータ可読媒体(ｎｏｎ−ｔｒａｎｓｉｔｏｒｙ ｃｏｍｐｕｔｅｒ ｒｅａｄａｂｌｅ ｍｅｄｉｕｍ)を用いて格納され、コンピュータに供給することができる。ここで、非一時的なコンピュータ可読媒体は、様々なタイプの実体のある記録媒体(ｔａｎｇｉｂｌｅ ｓｔｏｒａｇｅ ｍｅｄｉｕｍ)を含む。非一時的なコンピュータ可読媒体の例は、磁気記録媒体(例えば、フレキシブルディスク、磁気テープ、ハードディスクドライブ)、光磁気記録媒体(例えば、光磁気ディスク)、ＣＤ−ＲＯＭ(Ｒｅａｄ Ｏｎｌｙ Ｍｅｍｏｒｙ)、ＣＤ−Ｒ、ＣＤ−Ｒ／Ｗ、半導体メモリ(例えば、マスクＲＯＭ、ＰＲＯＭ(Ｐｒｏｇｒａｍｍａｂｌｅ ＲＯＭ)、ＥＰＲＯＭ(Ｅｒａｓａｂｌｅ ＰＲＯＭ)、フラッシュＲＯＭ、ＲＡＭ(Ｒａｎｄｏｍ Ａｃｃｅｓｓ Ｍｅｍｏｒｙ))を含む。プログラムは、様々なタイプの一時的なコンピュータ可読媒体(ｔｒａｎｓｉｔｏｒｙ ｃｏｍｐｕｔｅｒ ｒｅａｄａｂｌｅ ｍｅｄｉｕｍ)によってコンピュータに供給されても良い。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００６５】
上記の実施の形態の一部又は全部は、以下の付記のようにも記載され得るが、以下には限られない。
【００６６】
（付記１）
基地局との無線通信を行う通信手段と、
前記通信手段を制御する制御手段と、を備え、
前記制御手段は、
自端末のユーザから入力されたデータ系列を蓄積し、
前記蓄積と並行して、前記無線通信の状態を監視し、
前記監視の結果、前記無線通信が断続的に途絶していると判定した場合、前記通信手段に前記蓄積したデータ系列を順次送信させる、
移動体通信端末。
【００６７】
（付記２）付記１において、
前記制御手段は、前記無線通信が断続的に途絶していると判定した時点から、前記蓄積を開始する、
ことを特徴とした移動体通信端末。
【００６８】
（付記３）付記１又は２において、
前記制御手段は、
自端末に生じる加速度を検出し、
前記加速度が予め定めた閾値以上である場合、前記監視の結果に関わらず、前記無線通信が断続的に途絶していると判定する、
ことを特徴とした移動体通信端末。
【００６９】
（付記４）付記１〜３のいずれか一つにおいて、
前記制御手段は、前記監視の結果、前記無線通信が一定時間に亘って継続するよう変化したと判定した場合、前記通信手段に、前記蓄積したデータ系列に代えて、前記入力されたデータ系列を直接送信させる、
ことを特徴とした移動体通信端末。
【００７０】
（付記５）付記１〜４のいずれか一つにおいて、
前記制御手段は、
前記通信手段により前記基地局を介して通信相手から受信された、受信データ系列を蓄積し、
前記無線通信が断続的に途絶していると判定した場合、前記蓄積した受信データ系列を順次再生する、
ことを特徴とした移動体通信端末。
【００７１】
（付記６）付記５において、
前記制御手段は、
前記受信データ系列の蓄積量を監視し、
前記蓄積量が予め定めた量を超過した場合に、前記再生を行う、
ことを特徴とした移動体通信端末。
【００７２】
（付記７）付記１〜６のいずれか一つにおいて、
前記データ系列は、複数の音声データ又は動画データから成る、
ことを特徴とした移動体通信端末。
【００７３】
（付記８）
基地局との無線通信を行う移動体通信端末の制御方法であって、
前記移動体通信端末のユーザから入力されたデータ系列を蓄積し、
前記蓄積と並行して、前記無線通信の状態を監視し、
前記監視の結果、前記無線通信が断続的に途絶していると判定した場合、前記蓄積したデータ系列を順次送信する、
ことを含む制御方法。
【００７４】
（付記９）付記８において、
前記無線通信が断続的に途絶していると判定した時点から、前記蓄積を開始する、
ことを特徴とした制御方法。
【００７５】
（付記１０）付記８又は９において、
前記移動体通信端末に生じる加速度を検出し、
前記加速度が予め定めた閾値以上である場合、前記監視の結果に関わらず、前記無線通信が断続的に途絶していると判定する、
ことを含む制御方法。
【００７６】
（付記１１）付記８〜１０のいずれか一つにおいて、
前記監視の結果、前記無線通信が一定時間に亘って継続するよう変化したと判定した場合、前記蓄積したデータ系列に代えて、前記入力されたデータ系列を直接送信する、
ことを含む制御方法。
【００７７】
（付記１２）付記８〜１１のいずれか一つにおいて、
前記基地局を介して通信相手から受信した、受信データ系列を蓄積し、
前記無線通信が断続的に途絶していると判定した場合、前記蓄積した受信データ系列を順次再生する、
ことを含む制御方法。
【００７８】
（付記１３）付記１２において、
前記受信データ系列の蓄積量を監視し、
前記蓄積量が予め定めた量を超過した場合に、前記再生を行う、
ことを含む制御方法。
【００７９】
（付記１４）付記８〜１３のいずれか一つにおいて、
前記データ系列として、複数の音声データ又は動画データを用いる、
ことを特徴とした制御方法。
【００８０】
（付記１５）
基地局との無線通信を行う移動体通信端末に、
前記移動体通信端末のユーザから入力されたデータ系列を蓄積する処理と、
前記蓄積と並行して、前記無線通信の状態を監視する処理と、
前記監視の結果、前記無線通信が断続的に途絶していると判定した場合、前記蓄積したデータ系列を順次送信する処理と、
を実行させるための制御プログラム。
【符号の説明】
【００８１】
１０, １０ａ, １０＿１, １０＿２  移動体通信端末
２０, ２０＿１, ２０＿２  基地局
３０  コアネットワーク
１１０  無線通信部
１１１  アンテナ
１１２  共用器
１１３  送信部
１１４  受信部
１２０  制御部
１２１  送信データ転送部
１２２  通信状態監視部
１２３  通信制御部
１２４, １２７  蓄積部
１２５, １２８  選択部
１２６  受信データ転送部
１３０  マイク
１４０  送信用音声コーデック
１５０  受信用音声コーデック
１６０  スピーカ
２０１  入力音声データ系列
２０２  蓄積音声データ系列
３０１  受信音声データ系列
３０２  蓄積受信音声データ系列
１００１  通信切断状態
１００２  安定状態
１００３  不安定状態
１００４  一時的不安定状態
Ｔ０, Ｔ１  閾値時間
【図１】
2012175451.tif 000003
【図２】
2012175451.tif 000004
【図３】
2012175451.tif 000005
【図４】
2012175451.tif 000006
【図５】
2012175451.tif 000007
【図６】
2012175451.tif 000008